(57)【特許請求の範囲】
【請求項１】
液透過性の表面シート、液不透過性の裏面シート及びこれら両シート間に介在する液保持性の吸収体を具備する使い捨ておむつにおいて、
吸収体の左右両側部には、上記表面シートの裏面側にそれぞれ弾性部材を配して形成された左右一対の立体ギャザーが設けられており、
上記表面シートは、一対の上記立体ギャザー間において、上記吸収体に直接当接しないように、該吸収体の上方に配置されており、且つ該吸収体の左右両側縁において該吸収体に固着されており、
上記表面シートは、上記立体ギャザーを形成する部分と、一対の上記立体ギャザー間に位置する部分と、上記吸収体に固着された部分とが、一枚の連続するシートからなることを特徴とする使い捨ておむつ。
【請求項２】
一対の上記立体ギャザー間に位置する上記表面シートは、上記吸収体の幅方向における長さが一対の上記立体ギャザー間の距離よりも長く、上記吸収体側に向けて撓んでいる請求項１記載の使い捨ておむつ。
【請求項３】
一対の上記立体ギャザー間に位置する上記表面シートは、該立体ギャザーの頂部より低い所定の高さに張設されている請求項１記載の使い捨ておむつ。
【請求項４】
一対の立体ギャザーそれぞれの幅方向外方に、液非透過性のシートが配されて、左右一対の防漏壁が形成されている請求項１又は２記載の使い捨ておむつ。
【請求項５】
上記表面シートの上記吸収体に固着された部分が、液非透過性のシートにより覆われており、該シートは、該吸収体の幅方向外方に延出して上記裏面シートに接合されている請求項１又は２記載の使い捨ておむつ。
【請求項６】
液透過性の表面シート、液不透過性の裏面シート及びこれら両シート間に介在する液保持性の吸収体を具備する使い捨ておむつにおいて、
吸収体の左右両側部には、上記表面シートの裏面側にそれぞれ弾性部材を配して形成された左右一対の立体ギャザーが設けられており、
上記表面シートは、一対の上記立体ギャザー間において、上記吸収体に直接当接しないように、該吸収体の上方に配置されており、
一対の上記立体ギャザー間に位置する上記表面シートは、該立体ギャザーの頂部間に張設されていることを特徴とする使い捨ておむつ。
【発明の詳細な説明】
【０００１】
【発明の属する技術分野】
本発明は、特に便（軟便）の漏れ防止効果に優れた使い捨ておむつに関する。
【０００２】
【従来の技術及び発明の解決しようとする課題】
従来より、使い捨ておむつについては、種々の構造のものが提案されているが、従来提案されている使い捨ておむつでは、漏れ防止性、特に軟便の漏れ防止性が十分ではなかった。
このため、特開平１−１６２８０７号公報や特開平３−１８６２６２号公報において、使い捨ておむつの左右両側縁部に使い捨ておむつの表面側に突出された立体的なギャザー部を有するおむつが提案されている。
【０００３】
しかし、これらの提案に係る使い捨ておむつでは、未だ軟便に対する十分な漏れ防止性が達成されておらず、より漏れ防止性に優れた使い捨ておむつ開発が要望されている。
【０００４】
従って、本発明の目的は、漏れ防止性、特に、軟便に対する漏れ防止性に優れた、使い捨ておむつを提供することにある。
【０００５】
【課題を解決するための手段】
本発明は、液透過性の表面シート、液不透過性の裏面シート及びこれら両シート間に介在する液保持性の吸収体を具備する使い捨ておむつにおいて、吸収体の左右両側部には、上記表面シートの裏面側にそれぞれ弾性部材を配して形成された左右一対の立体ギャザーが設けられており、上記表面シートは、一対の上記立体ギャザー間において、上記吸収体に直接当接しないように、該吸収体の上方に配置されており、且つ該吸収体の左右両側縁において該吸収体に固着されており、上記表面シートは、上記立体ギャザーを形成する部分と、一対の上記立体ギャザー間に位置する部分と、上記吸収体に固着された部分とが、一枚の連続するシートからなることを特徴とする使い捨ておむつを提供することにより上記目的を達成したものである。
また、本発明は、液透過性の表面シート、液不透過性の裏面シート及びこれら両シート間に介在する液保持性の吸収体を具備する使い捨ておむつにおいて、吸収体の左右両側部には、上記表面シートの裏面側にそれぞれ弾性部材を配して形成された左右一対の立体ギャザーが設けられており、上記表面シートは、一対の上記立体ギャザー間において、上記吸収体に直接当接しないように、該吸収体の上方に配置されており、一対の上記立体ギャザー間に位置する上記表面シートは、該立体ギャザーの頂部間に張設されていることを特徴とする使い捨ておむつを提供することにより上記目的を達成したものである。
【０００６】
【発明の実施の形態】
以下、本発明の使い捨ておむつの好ましい１実施形態について図面を参照して説明する。
【０００７】
図１及び２に示す第１の実施形態の使い捨ておむつ１は、液透過性の表面シート２、液不透過性の裏面シート３及びこれら両シート２，３間に介在する液保持性の吸収体４を具備する。
本実施形態の使い捨ておむつ１は、図１に示すように、背側部Ｂの左右両側縁部Ｂ１，Ｂ２に一対の使い捨ておむつ止着用のテープファスナー２１が設けられた展開型の使い捨ておむつである。
このような構造は、公知の使い捨ておむつと同じであり、これらの形成材料も通常の使い捨ておむつに用いられるものを特に制限なく用いることができる。
【０００８】
而して、本実施形態の使い捨ておむつ１においては、図２に示すように、吸収体４の左右両側部には、弾性部材１１を配して形成された左右一対の立体ギャザー１０が設けられており、上記表面シート２は、一対の上記立体ギャザー１０間において、吸収体４に直接当接しないように、吸収体４の上方に配置されている（以下、この上方に配置された部分の表面シートを「離隔部１３」という。）。
【０００９】
更に詳述すると、本形態において、上記立体ギャザー１０は、上記表面シート２の裏面側に弾性部材１１を配して形成されている。また、表面シート２は、吸収体４の左右両側縁においては、吸収体４に固着されており、おむつの幅方向側縁部においては裏面シート３と固着されており、レッグ部弾性部材３１が表面シート２と裏面シート３とで狭持固定されている。
そして、立体ギャザー１０は、この表面シート２が固着された固着部１２のおむつの内方側端縁１２ａにおいて、表面シート２を、おむつの表面側に起立させて形成されている。弾性部材１１は、接着剤により表面シート２に固着されている。即ち、立体ギャザー１０は、表面シート１枚で形成されている。
離隔部１３は、その長さが、立体ギャザー間の距離よりも長く、吸収体４側に向けて撓んでいる。
【００１０】
各立体ギャザー１０，１０間の距離Ｔは、乳児用としては３〜１０ｃｍ、大人用としては５〜２０ｃｍとするのが好ましい。離隔部１３の長さＬは、乳児用としては４〜１８ｃｍ、大人用としては６〜２８ｃｍとするのが好ましく、本形態においては、この距離Ｔよりも１〜８ｃｍ長くされている。
また、立体ギャザーの高さｔは、１〜５ｃｍとするのが好ましい。
【００１１】
おむつの端縁部において、表面シートは、立体ギャザーをおむつの内方に向けて折り畳んだ状態で、裏面シートに固着されているのが好ましい。
また、吸収体４の表面側には、液透過性の不織布２０が配されている。
【００１２】
上述の如く構成されてなる本実施形態の使い捨ておむつ１は、その使用時において着用者が排便した際に、図３に示すように、離隔部１３が、便の重みで下方に押し込まれ、両立体ギャザー１０，１０の頂部１０ａ，１０ａ間の間隔が狭くなる。これにより排泄された便に立体ギャザー１０，１０が覆い被さるようになる。
このため、本実施形態の使い捨ておむつ１では、便の漏れ防止効果が特に優れる。また、便に立体ギャザー１０，１０が覆い被さるため、赤ちゃんのお尻に付着する便の量が低減され、かぶれも防止される。さらに、母親等の介護者における便の処理が容易である。
これらの効果は、特に便が軟便である場合に顕著である。
【００１３】
本形態の使い捨ておむつ１は、裏面シート上に吸収体を載置・接着した後、所定箇所に弾性部材を接着した表面シートを、固着部に相当する部分のみ吸収体に接着させる等して、製造することができる。
【００１４】
次に、本発明の使い捨ておむつの他の実施形態について説明する。
尚、以下の説明については、特に、上述した第１の実施形態と異なる点について説明するが、特に説明しない点については、上述した第１の実施形態における説明が適宜適用される。また、以下の実施形態においては、吸収体上に上記不織布が配されていないものを例示して説明するが、不織布を配した形態としてもよい。
【００１５】
図４に示す実施形態の使い捨ておむつ１において、表面シート２は、吸収体４の左右両側縁部において吸収体４に固着されており、立体ギャザー１０は、固着部１２の端縁１２ａにおいて、表面シート２を、その裏面側に弾性部材１１を配して表面側に起立させて形成されている。
離隔部１３は、その長さＬ1 が、立体ギャザー１０，１０間の距離Ｔ1 とほぼ同じ長さであり、その吸収体４からの高さｔは立体ギャザー１０の頂部１０ａの高さｔ’とほぼ同じである。そして、離隔部１３は、使い捨ておむつの長手方向中央部分において、この高さｔで、頂部１０ａ間に撓みのない平面状に張設されている。
【００１６】
本実施形態の使い捨ておむつ１においても、第１の実施形態の使い捨ておむつと同様に、その使用時において着用者が排便した際に、図５に示すように、離隔部１３が、便の重みで下方に押し込まれ、両立体ギャザー１０，１０の頂部１０ａ，１０ａ間の間隔が狭くなる。これにより排泄された便に立体ギャザー１０，１０が覆い被さる。このため、第１の実施形態と同様の効果が奏される。
【００１７】
図６に示す第３の実施形態の使い捨ておむつ１において、表面シート２は、吸収体４の左右両側縁において吸収体４に固着されており、立体ギャザー１０は、固着部１２の端縁１２ａにおいて、表面シート２の裏面側に弾性部材を配して表面側に起立させて形成されている。
また、表面シート２は、立体ギャザー１０の頂部１０ａにおいて吸収体側に折り返されて、折り返された表面シート２ａは、立体ギャザー１０の頂部１０ａより低い所定高さの位置を接着点１４として、立体ギャザー１０の外方側を形成する表面シート２ｂに接着されている。
そして、離隔部１３は、その長さＬ2 が、立体ギャザー１０，１０間の距離Ｔ2 とほぼ同じ長さであり、その吸収体４からの高さ（頂部１０ａより低い所定の高さ）ｔ1 は接着点１４の高さｔ1'とほぼ同じである。離隔部１３は、おむつの長手方向中央部分において、この高さｔ1 で撓みのない平面状に張設されている。
【００１８】
本実施形態の使い捨ておむつ１においても、第１の実施形態の使い捨ておむつと同様に、その使用時において着用者が排便した際に、図７に示すように、離隔部１３が、便の重みで下方に押し込まれ、両立体ギャザー１０，１０の頂部１０ａ，１０ａ間の間隔が狭くなる。これにより排泄された便に立体ギャザー１０，１０が覆い被さる。このため、第１の実施形態と同様の効果が奏される。
【００１９】
図８に示す第４の実施形態の使い捨ておむつ１は、一対の立体ギャザー１０，１０それぞれの幅方向外方に、液非透過性のシートが配されて、左右一対の防漏壁４０が設けられている。このシートとしては、通常吸収性物品に用いられる疎水性の不織布等が用いられる。このような構成とすることにより、更に漏れ防止性が向上される。
【００２０】
図９に示す第５の実施形態の使い捨ておむつ１は、表面シート２が、吸収体４の側部は覆っているが、おむつの側縁部（レッグ部弾性部材３１）までは覆っていない。そして、固着部１２からレッグ部までは、液非透過性のシート４１が配されて、このシート４１と裏面シート３とによりレッグ部弾性部材３１が狭持固定されている。このシート４１としては、通常吸収性物品に用いられる疎水性の不織布等が用いられる。このような構成とすることにより、更に漏れ防止性が向上される。
【００２１】
尚、第１の実施形態において、不織布２０は配さない形態としてもよい。
【００２２】
【発明の効果】
本発明の使い捨ておむつは、漏れ防止性、特に、軟便に対する漏れ防止性に優れたものである。
【図面の簡単な説明】
【図１】図１は、本発明の使い捨ておむつの第１の実施形態を示す斜視図である。
【図２】図２は、図１に示す使い捨ておむつのＸ−Ｘ断面図である。
【図３】図３は、図１に示す使い捨ておむつの使用態様を示す図面（使用時における図１のＸ−Ｘ断面図）である。
【図４】図４は、本発明の使い捨ておむつの第２の実施形態の要部を示す断面図（図２相当図）である。
【図５】図５は、図４に示す使い捨ておむつの使用態様を示す図面（図３相当図）である。
【図６】図６は、本発明の使い捨ておむつの第３の実施形態の要部を示す断面図（図２相当図）である。
【図７】図７は、図６に示す使い捨ておむつの使用態様を示す図面（図３相当図）である。
【図８】図８は、本発明の使い捨ておむつの第４の実施形態の要部を示す断面図（図２相当図）である。
【図９】図９は、本発明の使い捨ておむつの第５の実施形態の要部を示す断面図（図２相当図）である。
【符号の説明】
１    使い捨ておむつ
２    表面シート
３    裏面シート
４    吸収体
１０    立体ギャザー
１１    弾性部材
１２    固着部
１３    離隔部
【図１】
0003830282.tif 000002
【図２】
0003830282.tif 000003
【図３】
0003830282.tif 000004
【図４】
0003830282.tif 000005
【図５】
0003830282.tif 000006
【図６】
0003830282.tif 000007
【図７】
0003830282.tif 000008
【図８】
0003830282.tif 000009
【図９】
0003830282.tif 000010